(57)【要約】【課題】漏れを更に抑制することが可能なパンツ型生理用ナプキンを提供する。【解決手段】パンツ型生理用ナプキン５０における左右１対のレッグ開口部３０ａ、３０ｂに略沿うようにして、後身頃１３から前身頃１０にかけて後部レッグ弾性部材３６ａ、３６ｂを配すると共に前身頃に前部レッグ弾性部材３４ａ、３４ｂを配し、さらに、展開して緊張状態に保持したときに、長手方向中央線Ｌ１と、当該長手方向中央線に平行で、前記後部レッグ弾性部材における前身頃方向端部を通る仮想線Ｌｂ及び前記前部レッグ弾性部材における後身頃方向端部を通る仮想線Ｌｆとの間に、１対のレッグ開口部間の幅が最小となる最狭部位４３が位置することになるように、当該最狭部位の位置を選定する。【選択図】      図２
2004236775.tif 000002
【特許請求の範囲】
【請求項１】
着用時に着用者の腹側に位置する前身頃と背側に位置する後身頃とに長手方向中央線によって区分され、該前身頃と該後身頃の両側縁部を接合固定して、着用者の胴が通されるウエスト開口部と、着用者の下肢が通される左右１対のレッグ開口部とを形成し、内面側に吸収体が備えられているパンツ型生理用ナプキンであって、
前記レッグ開口部に略沿って前身頃に配置されて前記レッグ開口部の周囲にレッグギャザーを形成している前部レッグ弾性部材と、
前記レッグ開口部に略沿って後身頃から前身頃にかけて配置されて前記レッグ開口部の周囲にレッグギャザーを形成している後部レッグ弾性部材と、
を備え、
前記長手方向中央線に平行で前記前部レッグ弾性部材の後身頃方向端部を通る仮想線、及び前記後部レッグ弾性部材の前身頃方向端部を通る仮想線は前身頃に存在し、前記２つの仮想線と前記長手方向中央線との間に、前記１対のレッグ開口部間の幅が最小となる最狭部位が位置していることを特徴とするパンツ型生理用ナプキン。
【請求項２】
前記長手方向中央線と前記最狭部位との距離が３０〜６０ｍｍの範囲内である請求項１に記載のパンツ型生理用ナプキン。
【請求項３】
前記後部レッグ弾性部材の前身頃方向端部を通る仮想線が、前記前部レッグ弾性部材の後身頃方向端部を通る仮想線より後身頃方向に位置する請求項１または２に記載のパンツ型生理用ナプキン。
【請求項４】
前記長手方向中央線と前記後部レッグ弾性部材の前身頃方向端部を通る仮想線との距離が７０ｍｍ以上である請求項１〜３のいずれかに記載のパンツ型生理用ナプキン。
【請求項５】
前記前部レッグ弾性部材の後身頃方向端部及び後部レッグ弾性部材の前身頃方向端部は、前記吸収体がある領域に配置されている請求項１〜４のいずれかに記載のパンツ型生理用ナプキン。
【請求項６】
前記吸収体の外方に、長手方向に延在する弾性部材が配置されている請求項１〜５のいずれかに記載のパンツ型生理用ナプキン。
【発明の詳細な説明】
【０００１】
【発明の属する技術分野】
本発明は生理用ナプキンに係り、特にパンツ型生理用ナプキンに関する。
【０００２】
【従来の技術】
生理用ナプキンは、一般に下着の内側に装着して使用されるため、着用者の体勢の変化に伴って吸収体に位置ずれや縒れが生じることがあり、これらが経血の漏れの一因となっている。吸収体に位置ずれや縒れが生じた場合には、たとえ吸収体の大きさが十分に大きくても漏れを生じることがある。特に、就眠中は生理用ナプキンを交換しないので、この間に吸収体の位置ずれや縒れが重なって漏れが起き易い。
【０００３】
就眠中の使用や経血量が多い場合の使用に適した生理用ナプキンとして、最近、パンツ型（ショーツ型）の生理用ナプキンが開発され、「ロリエ  ショーツになった！スーパーガード」という商品名で市販されている。生理用ナプキンをパンツ型にすることにより、吸収体における位置ずれや縒れの発生を抑制することが容易になる。
【０００４】
このパンツ型生理用ナプキンでは、着用者の下肢が通される左右１対のレッグ開口部に略沿って、前身頃と後身頃とに分かれてレッグ弾性部材が配され、後身頃に配されたレッグ弾性部材は、着用者の経血の排泄ポイントを概ね横切るようにして、左右１対のレッグ開口部間を横断している。
【０００５】
上述のレッグ弾性部材を配置することにより、鼠けい部及びその近傍からの漏れ（横漏れ）を抑制することができる。また、経血の排泄ポイントを概ね横切るようにしてレッグ弾性部材を設けることにより、経血の排泄ポイントでのフィット性が向上するので、この点からも漏れが抑制される。
【０００６】
パンツ型の吸収性物品としては、従来、幼児用や大人用のおむつが開発されており、当該おむつの多くでは、例えば、特開平８−２８０７３８号や特開平１１−３３２９１１号に記載されているように、股下部において、レッグ弾性部材を斜めに配設したり、前身頃からのレッグ弾性部材と後身頃からのレッグ弾性部材を交差させて尿ポケットを形成する等したりして、吸収体の変形や、脚周りからの漏れを防止している。
【０００７】
【特許文献１】
特開平８−２８０７３８号公報
【特許文献２】
特開平１１−３３２９１１号公報
【０００８】
【発明が解決しようとする課題】
しかしながら、経血は赤いため、使用者は漏れに対して神経質になり、パンツ型生理用ナプキンに求められる漏れ防止性能はたいへん高く、上述のパンツ型吸収性物品においても、その漏れ防止性能については尚一層の向上を行う必要がある。
【０００９】
そこで、本発明は、経血の漏れを更に抑制することが可能なパンツ型生理用ナプキンを提供することを課題とする。
【００１０】
【課題を解決するための手段】
以下、本発明について説明する。なお、本発明の理解を容易にするために添付図面の参照符号を括弧書きにて付記するが、それにより本発明が図示の形態に限定されるものではない。
【００１１】
本発明の一態様では、着用時に着用者の腹側に位置する前身頃（１０）と背側に位置する後身頃（１３）とに長手方向中央線（Ｌ１）によって区分され、該前身頃と該後身頃の両側縁部を接合固定して、着用者の胴が通されるウエスト開口部（２０）と、着用者の下肢が通される左右１対のレッグ開口部（３０ａ、３０ｂ）とを形成し、内面側に吸収体（５）が備えられているパンツ型生理用ナプキン（５０、６０、７０）であって、前記レッグ開口部に略沿って前身頃に配置されて前記レッグ開口部の周囲にレッグギャザー（３８ａ、３８ｂ）を形成している前部レッグ弾性部材（３４ａ、３４ｂ、６４）と、前記レッグ開口部に略沿って後身頃から前身頃にかけて配置されて前記レッグ開口部の周囲にレッグギャザーを形成している後部レッグ弾性部材（３６ａ、３６ｂ、６６）と、を備え、前記長手方向中央線に平行で前記前部レッグ弾性部材の後身頃方向端部を通る仮想線（Ｌｆ）、及び前記後部レッグ弾性部材の前身頃方向端部を通る仮想線（Ｌｂ）は前身頃に存在し、前記２つの仮想線と前記長手方向中央線との間に、前記１対のレッグ開口部間の幅が最小となる最狭部位（４３）が位置していることを特徴とするパンツ型生理用ナプキンを提供して、上記の課題を解決する。
【００１２】
前部レッグ弾性部材及び後部レッグ弾性部材それぞれの配置ならびに上記最狭部位の位置を上述のように選定することにより、着用者の経血の排泄ポイントへのフィット性を良好に保ったまま、吸収体による経血の吸収効率を向上させ、かつ吸収体による体表面の被覆性を向上させて、漏れを抑制することが可能になる。その結果として、漏れが更に抑制されたパンツ型生理用ナプキンを得ることが可能となる。また、このパンツ型生理用ナプキンは、着用者の装着感に優れたものである。
【００１３】
本発明のこのような作用及び利得は、次に説明する実施の形態から明らかにされる。
【００１４】
【発明の実施の形態】
以下、本発明のパンツ型生理用ナプキンの実施形態について、図面を参照しつつ具体的に説明する。
【００１５】
＜第１実施形態＞
図１は、第１実施形態のパンツ型生理用ナプキンを概略的に示す斜視図である。図示のパンツ型生理用ナプキン５０は、着用者の体表面に当てられる表面シート１と、着用時に外表面となる外装シート３と、外装シート３の内側面上に固定され、表面シート１によって覆われている吸収体５とを有しており、着用時に着用者の腹側に位置する前身頃１０と背側に位置する後身頃１３とは左右両側縁で互いに接合して、サイドシール部１５ａ、１５ｂを形成している。パンツ型生理用ナプキン５０の着用時には、サイドシール部１５ａが着用者の右体側部に位置し、サイドシール部１５ｂが着用者の左体側部に位置する。なお、図１においては、便宜上、吸収体５の輪郭を二点鎖線で表している。
【００１６】
着用者の胴が通されるウエスト開口部２０の周囲には、着用者の腰部へのフィット性を高めるために腰部弾性部材２２が腰回り全周に亘って配されて、ウエストギャザー２４が形成されている。また、腰部弾性部材２２が配されている領域の下方には、着用者の胴部へのフィット性を高めるために複数の胴部弾性部材２６が胴回り全周に亘って配されて、胴回りギャザー２８が形成されている。着用者の下肢が通されるレッグ開口部３０ａ、３０ｂ（図１においては、レッグ開口部３０ｂのみが現れている。）間には、着用者の下腹または臀部へのフィット性を高めるために、前身頃１０及び後身頃１３それぞれに複数の下部弾性部材３２が配されている。これらの弾性部材はいずれも、表面シート１と外装シート３との間に配置されている。
【００１７】
着用者の鼠けい部から大腿部にかけてのフィット性を高めると共に、着用者の経血の排泄ポイントでのフィット性を高めるために、レッグ開口部３０ａ、３０ｂの周囲には、表面シート１と外装シート３との間に、第１前部レッグ弾性部材３４ａ、第２前部レッグ弾性部材３４ｂ、第１後部レッグ弾性部材３６ａ、及び第２後部レッグ弾性部材３６ｂがそれぞれ３本ずつ配されている。
【００１８】
上記の第１前部レッグ弾性部材３４ａは、レッグ開口部３０ａに略沿ってサイドシール１５ａの下部から前身頃１０の下部にかけて延在し、後身頃１３には配されていない。同様に、上記の第２前部レッグ弾性部材３４ｂは、レッグ開口部３０ｂに沿ってサイドシール１５ｂの下部から前身頃１０の下部にかけて延在し、後身頃１３には配されていない。
【００１９】
一方、第１後部レッグ弾性部材３６ａは、レッグ開口部３０ａに略沿ってサイドシール１５ａの下部から後身頃１３を経て前身頃１０の下部にまで延在し、第１前部レッグ弾性部材３４ａの各々と交差している。また、第２後部レッグ弾性部材３６ｂは、レッグ開口部３０ｂに沿ってサイドシール１５ｂの下部から後身頃１３を経て前身頃１０の下部にまで延在し、第２前部レッグ弾性部材３４ｂの各々と交差している。
【００２０】
レッグ開口部３０ａの周囲に配された第１前部レッグ弾性部材３４ａ及び第１後部レッグ弾性部材３６ａによって、当該レッグ開口部３０ａの周囲には第１レッグギャザー３８ａが形成されている。同様に、レッグ開口部３０ｂの周囲に配された第２前部レッグ弾性部材３４ｂ及び第２後部レッグ弾性部材３６ｂによって、当該レッグ開口部３０ｂの周囲には第２レッグギャザー３８ｂが形成されている。
【００２１】
パンツ型生理用ナプキン５０の最大の特徴は、第１前部レッグ弾性部材３４ａ、第２前部レッグ弾性部材３４ｂ、第１後部レッグ弾性部材３６ａ、及び第２後部レッグ弾性部材３６ｂそれぞれの配置、ならびに、レッグ開口部３０ａとレッグ開口部３０ｂとの間の幅が最小となる最狭部位の位置にある。以下、図２（Ａ）及び図２（Ｂ）を参照しつつ、上記最狭部位の位置及び上記各レッグ弾性部材３４ａ、３４ｂ、３６ａ、３６ｂの配置について詳述する。
【００２２】
図２（Ａ）は、図１に示したパンツ型生理用ナプキン５０のサイドシール部１５ａ、１５ｂで表面シート１と外装シート３との接合を解いて展開し緊張状態に保持したものを、着用時に着用者の体表面に当てられる側から見たときの概略図であり、図２（Ｂ）は、図２（Ａ）の上記最狭部位の位置における断面の概略図である。
【００２３】
図２（Ａ）においては、剥離されたサイドシール部１５ａ、１５ｂの位置を判り易くするために、これらサイドシール部１５ａ、１５ｂにスマッジングを付してある。ここで、本明細書でいう「緊張状態」とは、パンツ型生理用ナプキンを構成している各弾性部材の収縮に起因する変形が実質的にない状態を意味する。
【００２４】
図２（Ｂ）のように、吸収体５の外装シート３側には、液不透過性の防漏シート６が配置されている。
【００２５】
図２（Ａ）に示すように、緊張状態下のパンツ型生理用ナプキン５０は、長方形の両長辺の中央部にレッグ開口部３０ａ、３０ｂ形成用の湾入部４０ａ、４０ｂが形成された形状を呈する。このパンツ型生理用ナプキン５０は、矢印Ｄ１で示す長手方向（以下、「長手方向Ｄ１」という。）に二等分する中央線Ｌ１（以下、「長手方向中央線Ｌ１」という。）によって、前身頃１０と後身頃１３に区分される。
【００２６】
着用者の股下部において、前部レッグ弾性部材３４ａ、３４ｂの後身頃方向端部は、それぞれ前身頃１０内にあり、吸収体５がある領域にまで延びている。また、後部レッグ弾性部材３６ａ、３６ｂの前身頃方向端部も、それぞれ前身頃１０内にあり、吸収体５がある領域にまで延びている。前部レッグ弾性部材３４ａと後部レッグ弾性部材３６ａは、吸収体５がある領域において交差しており、同様に、前部レッグ弾性部材３４ｂと後部レッグ弾性部材３６ｂも、吸収体５がある領域において交差している。
【００２７】
なお、本発明において股下部とはレッグ開口部が形成される位置を言う。また、前部レッグ弾性部材についていう「後身頃方向端部」とは、全ての前部レッグ弾性部材のうちで最も後身頃側の箇所を意味し、後部レッグ弾性部材についていう「前身頃方向端部」とは、全ての後部レッグ弾性部材のうちで最も前身頃側の箇所を意味する。
【００２８】
長手方向中央線Ｌ１に平行で、前部レッグ弾性部材３４ａ、３４ｂの後身頃方向端部を通る仮想線Ｌｆと、長手方向中央線Ｌ１に平行で、後部レッグ弾性部材３６ａ、３６ｂの前身頃方向端部を通る仮想線Ｌｂは、前身頃１０に存在し、これら２つの仮想線Ｌｆ、Ｌｂと長手方向中央線Ｌ１との平面視上の間に、レッグ開口部３０ａとレッグ開口部３０ｂとの間の幅が最小となる最狭部位が位置している。図２（Ａ）においては、両端に矢印を付した実線４３によって、上記の最狭部位（以下、「最狭部位４３」という。）を示している。
【００２９】
最狭部位４３と前部及び後部レッグ弾性部材３４ａ、３４ｂ、３６ａ、３６ｂの位置関係を上述のように選定すると、下記（１）〜（２）の技術的効果を得ることができる。
（１）最狭部位４３及びその周辺においては、体への吸収体５のフィット性を良好に保ったまま、鼠けい部及びその周辺へのフィット性が向上するので、横漏れが抑制される。
（２）最狭部位４３よりも後身頃１３側で生じる吸収体５の変形が緩和されるので、吸収体５の吸収効率及び体表面に対する被覆性が向上し、漏れが抑制される。
【００３０】
更に、吸収体５がある領域においては、左右の前部レッグ弾性部材３４ａと３４ｂとが互いに離隔しており、同様に、左右の後部レッグ弾性部材３６ａと３６ｂも互いに離隔しているので、上記（２）の効果が一層向上する。
【００３１】
一般に、経血の排泄ポイントは、長手方向中央線Ｌ１よりも前身頃１０内にくる。したがって、最狭部位４３の位置を上述のように選定することにより、経血の排泄ポイントの近傍において上記（１）の技術的効果を得ながら、経血の排出ポイントから後身頃にかけて上記（２）の技術的効果を得ることが可能となる。
【００３２】
多くの場合、経血の排泄ポイントは、図２に示した長手方向中央線Ｌ１から前身頃１０側へ概ね３０〜５０ｍｍ離れている。経血の排泄ポイントの大まかな分布範囲を、図２中に二点鎖線の楕円４５で概略的に示す。
【００３３】
漏れを抑制し、かつ当該漏れの抑制効果に個人差が生じるのを防止するうえからは、最狭部位４３と長手方向中央線Ｌ１との距離を概ね３０〜６０ｍｍにすることが好ましく、概ね３５〜５０ｍｍにすることが更に好ましい。
【００３４】
また、２本の仮想線Ｌｆ、Ｌｂのうちで長手方向中央線Ｌ１に近い方の仮想線（図示の例では仮想線Ｌｆ）と長手方向中央線Ｌ１との距離は、概ね７０ｍｍ以上にすることが好ましく、概ね７５〜１００ｍｍにすることが更に好ましい。残りの１本の仮想線（図示の例では仮想線Ｌｂ）と長手方向中央線Ｌ１との距離についても同様である。
【００３５】
吸収体５は、図２（Ａ）に示すように上記の範囲４５が平面視上収まるようにして、かつ、当該吸収体５の長手方向がパンツ型生理用ナプキン５０の長手方向Ｄ１と略平行になるようにして、パンツ型生理用ナプキン５０の略中央部に配置することが好ましい。また、前身頃１０よりも後身頃１３において漏れが起こり易いことから、吸収体５は、後身頃１３側において十分な長さを確保することが好ましい。
【００３６】
表面シート１は経血を吸収体５へ透過させることができる液透過性シートであり、このようなシートとしては、不織布や開孔を施されたプラスチックフィルム等が挙げられる。
【００３７】
外装シート３としては、例えば従来のものを制限なく使用することができ、その材料としては、透湿性のある液不透過性フィルムからなるシートや、フィルムと不織布との複合材、撥水性のある不織布等が挙げられる。
【００３８】
吸収体５としては、パルプを主体として高吸水性ポリマーを混合させたもの、これらを台紙と呼ばれる紙で包囲したもの、不織布等を積層させたもの等、経血を吸収可能なものが用いられる。
【００３９】
弾性部材としては、糸ゴム、平ゴム、フィルムタイプのゴム等が用いられる。
【００４０】
本発明のパンツ型生理用ナプキンを構成する材料は、上述の材料に限定されることはなく、例えば従来のものを制限なく使用することができる。
【００４１】
次に、本発明のパンツ型生理用ナプキンを製造するための好適な方法について説明する。
【００４２】
まず、外装シート３用の連続するウェブ（外装シートの材料であって、製造ラインにおいて、ロール状になった状態から巻き出されて連続的に供給されてくるものを意味する。以下同じ。）に、ホットメルト型接着剤をスプレーし、別途ホットメルト型接着剤を塗布した腰部弾性部材２２用の弾性部材及び胴部弾性部材２６用の弾性部材を伸張させながら所要位置に連続供給して配置固定し、更に、ホットメルト型接着剤を塗布した前部及び後部レッグ弾性部材３４ａ，３４ｂ，３６ａ、３６ｂ用の弾性部材を連続供給して、レッグ開口部用の湾入部４０ａ、４０に沿うことになるように伸張させながら揺動配置して固定する。
【００４３】
防漏シート６が配された吸収体５を、吸収体５の長手方向が上記連続するウェブの流れ方向（ＭＤ方向）と直交するようにして、順次、ホットメルト型接着剤を介して一定間隔をおいて配置固定し、表面シート１用の連続するウェブを、吸収体５を覆うように最上面に重ねあわせ、外装シート３用の連続するウェブと接合する。
【００４４】
次に、レッグ開口部用の湾入部４０ａ、４０ｂとなる箇所を切り抜き、各ウェブを流れ方向中心線（長手方向中心線Ｌ１）において２つに折畳み、各吸収体５間においてウェブ同士をシールしてサイドシール部１５ａ、１５ｂを形成し、最後に該シール部で切り離して、パンツ型生理用ナプキン５０を製造する。
【００４５】
上記製造方法においては、隣接するナプキンにおいて前身頃と後身頃が交互に逆転するように、前部及び後部レッグ弾性部材用の弾性部材の揺動や、湾入部の切り抜き等を行うことが好ましい。前身頃と後身頃が交互に逆転するようにしてナプキンを連続的に製造することによって、レッグ弾性部材用の弾性部材の消費量が製造ラインの幅方向（ＣＤ方向）の両側で同等となり製造ロスが低減するほか、レッグ弾性材用の弾性部材の揺動の大小が交互に行われるため、流れ方向に概ね均等に力が働き、製造時のウェブの走行安定性（レッグ開口部のカット性、二つ折り成形性）や装置の消耗防止に優れるほか、製品形状及び寸法の精度を高めることができる。
【００４６】
なお、本実施形態においては、レッグ弾性部材用の弾性部材を連続して揺動固定し、吸収体を配置した後、該弾性部材を吸収体がある領域において外装シート側からヒートカッターにより切断して、第１前部レッグ弾性部材３４ａと第２レッグ弾性部材３４ｂとに、また、第１後部レッグ弾性部材３６ａと第２後部レッグ弾性部材６ｂとに分離している。
【００４７】
＜第２実施形態＞
図３（Ａ）は、第２実施形態のパンツ型生理用ナプキンのサイドシール部をそれぞれ剥離して緊張状態に保持したものを、着用時に着用者の体表面に当てられる側から見たときの概略図であり、図３（Ｂ）は、図３（Ａ）の最狭部位における断面の概略図である。
【００４８】
同図に示すパンツ型生理用ナプキン６０は、前部レッグ弾性部材及び後部レッグ弾性部材それぞれの配置、吸収体の構造及び配置、パンツ部の構造が、第１実施形態のパンツ型生理用ナプキン５０と相違している。図３（Ａ）または図３（Ｂ）に示した構成部材ないし領域のうち、第１実施形態のパンツ型生理用ナプキン５０と共通しているものには図２（Ａ）または図２（Ｂ）で用いた参照符号と同じ参照符号を付してその説明を省略する。
【００４９】
図３（Ｂ）に示すように、パンツ型生理用ナプキン６０では、外装シート３と内装シート９でパンツ部Ｐ１が構成され、内装シート９の内側面上に、吸収体５を有する吸収本体部５Ａが固定されている。
【００５０】
吸収本体部５Ａは着用者の体表面側に表面シート１、内装シート９側に液不透過性の防漏シート６、両側部それぞれにサイドギャザー７を構成する弾性部材７ａ及びシート７ｂを有し、これらによって吸収体５が包まれている。なお、上記内装シート９は、上記外装シート３や表面シート１と同様の材料を用いて形成することができる。
【００５１】
パンツ型生理用ナプキン６０における最狭部位４３の相対的な位置、ならびに、最狭部位４３に対する前部レッグ弾性部材３４ａ、３４ｂ及び後部レッグ弾性部材３６ａ、３６ｂの相対的な配置は、第１実施形態のパンツ型生理用ナプキン５０におけるこれらの位置ないし配置と同様であるが、後部レッグ弾性部材３６ａ、３６ｂの前身頃方向端部を通る仮想線Ｌｂは、前部レッグ弾性部材３４ａ、３４ｂの後身頃方向端部を通る仮想線Ｌｆより後身頃方向に位置している。
【００５２】
このパンツ型生理用ナプキン６０は、第１実施形態のパンツ型生理用ナプキン５０と同様の技術的効果を奏し、更に、前部レッグ弾性部材と後部レッグ弾性部材とが交わる部分で弾性収縮力が強く働くために起こることがある吸収表面の変形及び幅方向へ延びるヒダの発生を抑えることができ、フィット性がより高められるという効果も奏する。
【００５３】
＜第３実施形態＞
図４（Ａ）は、第３実施形態のパンツ型生理用ナプキンのサイドシール部をそれぞれ剥離して緊張状態に保持したものを、着用時に着用者の体表面に当てられる側から見たときの概略図であり、図４（Ｂ）は、図４（Ａ）の最狭部位における断面の概略図である。
【００５４】
これらの図に示すパンツ型生理用ナプキン７０において、第１実施形態のパンツ型生理用ナプキン５０及び第２実施形態のパンツ型生理用ナプキン６０と共通しているものは、図２及び図３で用いた参照符号と同じ参照符号を付してその説明を省略する。前部レッグ弾性部材については新たな参照符号６４を付し、後部レッグ弾性部材については新たな参照符号６６を付してある。
【００５５】
図４（Ｂ）に示すように、パンツ型生理用ナプキン７０における吸収本体部５Ｂでは、吸収体５の外方に、長手方向Ｄ１に延在するようにして、複数本の弾性部材６８が伸張固定されている。ここで、上記の「外方」とは、着用者に当接される側とは反対の外装シート側の方向を指し、本実施形態では吸収体５と防漏シートとの間に上記弾性部材６８を固定した。この点を除けば、吸収本体部５Ｂは、第２実施形態のパンツ型生理用ナプキン６０での吸収本体部５Ａと同様の構造を有している。
【００５６】
また、パンツ型生理用ナプキン７０でのパンツ部Ｐ２の構造は、第２実施形態のパンツ型生理用ナプキン６０でのパンツ部Ｐ１の構造と同様であるが、パンツ型生理用ナプキン７０では更に、吸収本体部５Ｂの長手方向端部の表面を被覆するようにして、前身頃１０及び後身頃１３それぞれにおける胴部から腰部にかけて、カバーシート１４ａ、１４ｂが着用者の体表面側に固定されている。これらのカバーシート１４ａ、１４ｂは、吸収本体部５Ｂを内装シート９の内側面上に固定した後に固定される。カバーシート１４ａ、１４ｂの材料としては例えば従来のものを用いることができ、その具体例としては、例えば上記外装シート３と同様の材料が挙げられる。
【００５７】
パンツ型生理用ナプキン７０では、吸収体５がある領域における前部レッグ弾性部材６４及び後部レッグ弾性部材６６の形状及び配置が、第１実施形態のパンツ型生理用ナプキン５０及び第２実施形態のパンツ型生理用ナプキン６０と相違している。
【００５８】
図示のように、パンツ型生理用ナプキン７０は３本の前部レッグ弾性部材６４を備えている。個々の前部レッグ弾性部材６４は、前身頃１０側のサイドシール部１５ａの下部からレッグ開口部３０ａとなる湾入部４０ａに略沿って後身頃１３側に延在した後、長手方向Ｄ１と平面視上直交する方向Ｄ２に延在し、その後、レッグ開口部３０ｂとなる湾入部４０ｂに略沿って延在して、前身頃１０側のサイドシール部１５ｂの下部に達している。前部レッグ弾性部材６４が方向Ｄ２に延在する領域では、各前部レッグ弾性部材６４が略重なっている。
【００５９】
同様に、個々の後部レッグ弾性部材６６は、後身頃１３側のサイドシール部１５ａの下部からレッグ開口部３０ａとなる湾入部４０ａに略沿って前身頃１０内まで延在した後、長手方向Ｄ１と平面視上直交する方向Ｄ２に延在し、その後、レッグ開口部３０ｂとなる湾入部４０ｂに略沿って延在して、後身頃１３側のサイドシール部１５ｂの下部に達している。後部レッグ弾性部材６６が方向Ｄ２に延在する領域では、各後部レッグ弾性部材６６が略重なっている。
【００６０】
図示するように、前部レッグ弾性部材６４の後身頃方向端部及び後部レッグ弾性部材６６の前身頃方向端部は、それぞれ前身頃１０内にあり、吸収体５の上方に位置している。
【００６１】
第３実施形態のパンツ型生理用ナプキン７０での最狭部位４３の相対的な位置、ならびに、最狭部位４３に対する前部レッグ弾性部材６４及び後部レッグ弾性部材６６の相対的な配置は、仮想線Ｌｆと仮想線Ｌｂとの相対的な位置関係を除いて第１実施形態のパンツ型生理用ナプキン５０と同様であり、したがって、パンツ型生理用ナプキン７０は、第１実施形態のパンツ型生理用ナプキン５０と同様の技術的効果を奏する。
【００６２】
更に、パンツ型生理用ナプキン７０では、図示するように、後部レッグ弾性部材６６の前身頃方向端部を通る仮想線Ｌｂが、第２実施形態のパンツ型生理用ナプキン６０と同様に前部レッグ弾性部材３４の後身頃方向端部を通る仮想線Ｌｆより後身頃方向に位置していることから、前部レッグ弾性部材と後部弾性部材が交わる部分で弾性収縮力が強く働くために起こることがある吸収表面の変形及び幅方向へ延びるヒダの発生を抑えることができ、フィット性がより高められるという効果も奏する。
【００６３】
また、上述のように、前部レッグ弾性部材６４及び後部レッグ弾性部材６６が、平面視上、吸収体５を横切っているので、経血の排泄ポイント及び当該排泄ポイントよりも前身頃１０側において、着用者の体表面への吸収体５のフィット性を高めることができる、という技術的効果も奏する。
【００６４】
更には、前述のようにして弾性部材６８を設けることにより、着用者の体表面への吸収体５のフィット性、特に、長手方向Ｄ１と平面視上直交する方向Ｄ２の中央部での吸収体５のフィット性を向上させることができる。また、カバーシート１４ａ、１４ｂによって、着用時に吸収本体部５Ｂの端部が当たるによる違和感や、ウエスト開口部２０からの漏れの防止を向上させることができる。
【００６５】
弾性部材６８の本数は、吸収体５の幅や柔軟性等に応じて適宜選定可能である。また、隣り合う弾性部材６８間の距離は、吸収体５の柔軟性等に応じて適宜変更可能であるが、概ね３〜３０ｍｍの範囲内で選定することが好ましい。弾性部材６８の長さは、吸収体５の長さの概ね５０〜９０％の範囲内で適宜選定可能である。
【００６６】
上述した第１〜第３実施形態のパンツ型生理用ナプキンは、左右１対のレッグ開口部３０ａ、３０ｂ間の幅が一箇所においてのみ最小となる形状のものであるが、本発明のパンツ型生理用ナプキンは、長手方向Ｄ１（図２参照）に所定長に亘って延在する一区間において上記の幅が最小となる形状のものであってもよく、この場合には、当該区間の中央部を「最狭部位」とする。
【００６７】
また、パンツ型生理用ナプキンが複数本の後部レッグ弾性部材を有する場合、後部レッグ弾性部材それぞれでの前身頃方向端部が前身頃に存在し、更には上記最挟部位４３よりも前身頃１０でのウエスト開口部２０寄りに位置することが好ましい。
【００６８】
第１実施形態または第２実施形態のパンツ型生理用ナプキンのように、前部レッグ弾性部材及び後部レッグ弾性部材を左レッグ開口部と右レッグ開口部とに別々に設ける場合には、各レッグ弾性部材における経血の排泄ポイント側の端部を、必要に応じて、図１または図３に示したように吸収体側に曲げることができる。このようにレッグ弾性部材の端部を曲げると、長手方向Ｄ１と平面視上直交する方向に働く収縮力を容易に高めることができるので、着用者の体表面への吸収体のフィット性を向上させ易くなる。このとき、上記曲げられた端部と吸収体とは、平面視上重なっていてもよいし、平面視上互いに離隔していてもよい。
【００６９】
以上、現時点において最も実践的であり、かつ、好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴うパンツ型生理用ナプキンもまた本発明の技術的範囲に包含されるものとして理解されなければならない。
【００７０】
【発明の効果】
以上説明したように、本発明によれば、漏れを更に抑制することが可能なパンツ型生理用ナプキンが提供される。したがって本発明によれば、着用者に高い安心感を与えることができるパンツ型生理用ナプキンを提供することが可能になる。
【図面の簡単な説明】
【図１】第１実施形態のパンツ型生理用ナプキンを概略的に示す斜視図である。
【図２】図２（Ａ）は、図１に示したパンツ型生理用ナプキンのサイドシール部をそれぞれ剥離して緊張状態に保持したものを、着用時に着用者の体表面に当てられる側から見たときの概略図であり、図２（Ｂ）は、図２（Ａ）に示した最狭部位での断面の概略図である。
【図３】図３（Ａ）は、第２実施形態のパンツ型生理用ナプキンのサイドシール部をそれぞれ剥離して緊張状態に保持したものを、着用時に着用者の体表面に当てられる側から見たときの概略図であり、図３（Ｂ）は、図３（Ａ）に示した最狭部位での断面の概略図である。
【図４】図４（Ａ）は、第３実施形態のパンツ型生理用ナプキンのサイドシール部をそれぞれ剥離して緊張状態に保持したものを、着用時に着用者の体表面に当てられる側から見たときの概略図であり、図３（Ｂ）は、図３（Ａ）に示した最狭部位での断面の概略図である。
【符号の説明】
１  表面シート
３  外装シート
５  吸収体
５Ａ、５Ｂ  吸収本体部
６  防漏シート
９  内装シート
１０  前身頃
１３  後身頃
１４ａ、１４ｂ  カバーシート
２０  ウエスト開口部
３０ａ、３０ｂ  レッグ開口部
３４ａ、３４ｂ、６４  前部レッグ弾性部材
３６ａ、３６ｂ、６６  後部レッグ弾性部材
３８ａ、３８ｂ  レッグギャザー
４３  最狭部位
Ｌ１  長手方向中央線
Ｌｆ  前部レッグ弾性部材の後身頃方向端部を通る仮想線
Ｌｂ  後部レッグ弾性部材の前身頃方向端部を通る仮想線
５０、６０、７０  パンツ型生理用ナプキン
６８  吸収体の外方に配置された弾性部材
【図１】
2004236775.tif 000003
【図２】
2004236775.tif 000004
【図３】
2004236775.tif 000005
【図４】
2004236775.tif 000006